(57)【特許請求の範囲】
【請求項１】
商用電源から供給される交流電圧を直流電圧に変換する電源アダプタに接続される受電端子と、前記受電端子を介して供給される直流電圧が充電される二次電池とを備える携帯無線通信端末において、
放送信号を受信して処理する受信部と、
前記受信部により前記放送信号を受信した場合のＣＮ比を検出するＣＮ比検出部と、
前記ＣＮ比検出部により検出された前記ＣＮ比に基づいて、前記放送信号を受信する際の受信感度の劣化を抑制するように、前記受電端子を介して前記電源アダプタから前記二次電池へ供給される充電電流量を制御する充電制御部とを備える
携帯無線通信端末。
【発明の詳細な説明】
【技術分野】
【０００１】
本発明は、放送信号を受信する携帯無線通信端末に関する。
【背景技術】
【０００２】
近年、携帯電話機等の携帯無線通信端末にマルチメディア放送を配信する技術としてＩＳＤＢ−Ｔｍｍ（Ｉｎｔｅｇｒａｔｅｄ  Ｓｅｒｖｉｃｅｓ  Ｄｉｇｉｔａｌ  Ｂｒｏａｄｃａｓｔｉｎｇ  Ｔｅｒｒｅｓｔｒｉａｌ  ｆｏｒ  ｍｏｂｉｌｅ  ｍｕｌｔｉｍｅｄｉａ）や、Ｍｅｄｉａ  ＦＬＯ（Ｆｏｒｗａｒｄ  Ｌｉｎｋ  Ｏｎｌｙ）が注目されている。
【０００３】
ＩＳＤＢ−ＴｍｍやＭｅｄｉａ  ＦＬＯでは、地上デジタル放送よりも波長の短い周波数帯（２００ＭＨｚ帯）が割り当てられている。そのため、携帯無線通信端末は、ＩＳＤＢ−ＴｍｍやＭｅｄｉａ  ＦＬＯ等に準拠したマルチメディア放送を受信するために、従来の地上デジタル放送を受信するアンテナよりも長いアンテナが必要となる。
【０００４】
このような波長の短い周波数帯の信号を受信する場合に、携帯無線通信端末において、イヤホンをアンテナとして用いることが知られている。しかし、マルチメディア放送を受信する時間帯は深夜である場合が多いため、イヤホンが携帯無線通信端末から外されていることが考えられる。そのため、波長の短い周波数帯の信号を受信する場合に、携帯無線通信端末において、電源アダプタの充電ケーブルをアンテナとして用いる技術が提案されている（例えば、特許文献１参照）。
【０００５】
特許文献１に記載の携帯端末システムは、電源アダプタの充電ケーブルをアンテナとして用い、ホイップアンテナと電源アダプタの充電ケーブルとにおける放送信号の受信感度を比較して、受信感度が高いものによって放送信号を受信している。
【先行技術文献】
【特許文献】
【０００６】
【特許文献１】特開２００９−１３０４２３号公報
【発明の概要】
【発明が解決しようとする課題】
【０００７】
しかし、特許文献１のように電源アダプタの充電ケーブルをアンテナとして用いた場合、充電時に電源アダプタにおいて交流電源を直流電源に変換する際のスイッチング動作によりスイッチング雑音信号（ノイズ）が発生して、電源アダプタの充電ケーブルで受信される放送信号の受信感度が劣化するおそれがあった。
【０００８】
本発明は、充電時においても放送信号を受信する際の受信感度の劣化を抑制できる携帯無線通信端末を提供することを目的とする。
【課題を解決するための手段】
【０００９】
本発明に係る携帯無線通信端末は、上記課題を解決するために、商用電源から供給される交流電圧を直流電圧に変換する電源アダプタに接続される受電端子と、前記受電端子を介して供給される直流電圧が充電される二次電池とを備える携帯無線通信端末において、放送信号を受信して処理する受信部と、前記受信部により前記放送信号を受信した場合のＣＮ比を検出するＣＮ比検出部と、前記ＣＮ比検出部により検出された前記ＣＮ比に基づいて、前記放送信号を受信する際の受信感度の劣化を抑制するように、前記受電端子を介して前記電源アダプタから前記二次電池へ供給される充電電流量を制御する充電制御部とを備える。
【００１０】
また、前記受信部は、前記放送信号を受信するアンテナ部と、前記アンテナ部から供給される前記放送信号の直流電流成分を遮断する直流電流遮断部と、前記直流電流遮断部により前記直流電流成分が除去された放送信号に対して所定の信号処理を行う処理部と、前記アンテナ部の出力インピーダンスと前記処理部の入力インピーダンスの整合を行う整合部とを有し、前記電源アダプタは、前記商用電源の供給口に接続される商用電源プラグと、前記商用電源プラグを介して前記商用電源の供給口から供給される交流電圧を直流電圧に変換するスイッチング電源部と、前記受電端子に接続され、前記スイッチング電源部により変換された直流電圧を前記二次電池に供給する充電ケーブルとを有し、前記受信部は、前記充電ケーブルが前記受電端子に接続された場合に、前記スイッチング電源部によるスイッチング動作によって発生するスイッチング雑音信号及び前記放送信号を前記充電ケーブルにより受信し、前記ＣＮ比検出部は、前記スイッチングノイズ雑音信号及び前記放送信号に基づくＣＮ比を検出し、前記充電制御部は、前記ＣＮ比が前記放送信号を受信するために必要となる最小限度のＣＮ比になるように前記充電電流量を制御することが好ましい。
【００１１】
また、前記ＣＮ比検出部は、前記二次電池の充電量に基づいて、前記ＣＮ比の調整を行い、調整後のＣＮ比を前記充電制御部に供給することが好ましい。
【００１２】
また、前記アンテナ部は、内蔵型のヘリカルアンテナにより構成されており、前記ヘリカルアンテナは、前記充電ケーブルが前記受電端子に接続された場合に、前記充電ケーブルと協調動作して放送信号を受信することが好ましい。
【００１３】
また、前記携帯無線通信端末は、前記ＣＮ比に基づいて前記整合部のインピーダンス値を調整する調整部を備えることが好ましい。
【００１４】
本発明に係る携帯無線通信端末は、上記課題を解決するために、商用電源から供給される交流電圧を直流電圧に変換する電源アダプタに接続される受電端子と、前記受電端子を介して供給される直流電圧が充電される二次電池を備える携帯無線通信端末において、放送信号を受信して処理する受信部と、前記受信部により受信される前記放送信号のチャンネルと、当該チャンネルにおけるＣＮ比とを対応付けて記憶する記憶部と、前記記憶部において前記放送信号のチャンネルと対応付けて記憶される前記ＣＮ比に基づいて、前記受電端子を介して前記電源アダプタから前記二次電池へ供給される充電電流量を制御する充電制御部とを備える。
【発明の効果】
【００１５】
本発明によれば、充電時においても放送信号を受信する際の受信感度の劣化を抑制できる携帯無線通信端末を提供することができる。
【図面の簡単な説明】
【００１６】
【図１】本発明に係る携帯無線通信端末の一実施形態である携帯電話機の外観斜視図を示す図である。
【図２】本実施形態の携帯電話機の機能を示す機能ブロック図である。
【図３】本発明の携帯無線通信端末の放送信号の受信感度を実施例と比較例とで比較した結果を示す表である。
【発明を実施するための形態】
【００１７】
以下、本発明の一実施形態について説明する。図１は、本発明に係る携帯無線通信端末の一実施形態である携帯電話機１の外観斜視図を示す。なお、図１は、いわゆる折り畳み型の携帯電話機の形態を示しているが、本発明に係る携帯電話機の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ）でもよい。
【００１８】
携帯電話機１は、操作部側筐体２と、表示部側筐体３とを備える。操作部側筐体２は、表面部に、入力部としての操作部１１と、携帯電話機１の使用者が通話時に発した音声が入力されるマイク１２とを備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。なお、機能設定操作キー１３、入力操作キー１４及び決定操作キー１５は、表示部２１と一体に形成されたタッチパネル上に配置するように構成してもよい。操作部１１は、これらの機能設定操作キー１３、入力操作キー１４及び決定操作キー１５により文字又は文字列を入力する。
【００１９】
また、表示部側筐体３は、表面部に、各種情報を表示するための表示部２１と、通話の相手側の音声を出力するスピーカ２２とを備える。
【００２０】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００２１】
図２は、本実施形態の携帯電話機１の機能を示す機能ブロック図である。本実施形態の携帯電話機１は、図２に示すように、電源アダプタ３０と、受電端子４０と、二次電池５０と、受信信号処理部６０と、制御部８０と、可変抵抗部８５と、ＦＥＴ８６と、抵抗９５と、ダイオード９６と、を備える。
【００２２】
本実施形態の携帯電話機１は、電源アダプタ３０を用いて放送信号を受信する機能を有している。
【００２３】
ここで、放送信号としては、例えば、ＩＳＤＢ−Ｔｍｍ（Ｉｎｔｅｇｒａｔｅｄ  Ｓｅｒｖｉｃｅｓ  Ｄｉｇｉｔａｌ  Ｂｒｏａｄｃａｓｔｉｎｇ  Ｔｅｒｒｅｓｔｒｉａｌ  ｆｏｒ  ｍｏｂｉｌｅ  ｍｕｌｔｉｍｅｄｉａ）、Ｍｅｄｉａ  ＦＬＯ（Ｆｏｒｗａｒｄ  Ｌｉｎｋ  Ｏｎｌｙ）等に準拠しており、地上デジタル放送よりも波長の短い周波数帯（２００ＭＨｚ帯）の信号を用いることができる。
【００２４】
以下、携帯電話機１の各構成について説明する。
電源アダプタ３０は、商用電源１００から供給される交流電圧を直流電圧に変換する。そして、電源アダプタ３０は、変換された直流電圧を二次電池５０へ供給する。
また、電源アダプタ３０は、商用電源プラグ３１と、回路部３２と、スイッチング電源部３３と、充電ケーブル３４と、を備える。
【００２５】
商用電源プラグ３１は、商用電源１００の供給口（コンセント）に接続される。
回路部３２は、スイッチング電源部３３、制御回路（図示せず）等の電子部品が実装されている。
スイッチング電源部３３は、商用電源プラグ３１を介して商用電源１００の供給口から供給される交流電圧を直流電圧に変換する。
【００２６】
スイッチング電源部３３では、交流電圧を直流電圧に変換する際のスイッチング動作によってスイッチング雑音信号（ノイズ）が発生する。そして、発生したスイッチング雑音信号は、変換後の直流電圧と共に充電ケーブル３４を介して受電端子４０に供給される。
【００２７】
充電ケーブル３４は、受電端子４０及び回路部３２に接続され、スイッチング電源部３３により変換された直流電圧を二次電池５０に供給する。
充電ケーブル３４は、正極（プラス）側の導線３４ａと、負極（マイナス）側の導線３４ｂとを有している。
【００２８】
また、充電ケーブル３４は、所定の長さを有する導体（導線３４ａ、３４ｂ等）で構成されている。そのため、充電ケーブル３４は、放送信号を受信し、受信した放送信号をスイッチング電源部３３により変換された直流電圧と共に受電端子４０へ供給する。
また、充電ケーブル３４の長さは、１４０ｃｍ程度であることが好ましい。
【００２９】
受電端子４０は、充電コネクタ４１に形成され、充電ケーブル３４に接続される。受電端子４０は、充電ケーブル３４から直流電圧を供給される。
受電端子４０は、導線３４ａに接続される正極（プラス）側の受電端子４０ａと、導線３４ｂに接続される負極（マイナス）側の受電端子４０ｂとを有している。
【００３０】
二次電池５０は、受電端子４０、ＦＥＴ８６及びダイオード９６を介して、充電ケーブル３４から供給される直流電圧を充電する。なお、ＦＥＴ８６及びダイオード９６については、後述する。
【００３１】
受信信号処理部６０は、充電ケーブル３４と共に放送信号を受信し、受信した放送信号に所定の処理を行う。
受信信号処理部６０は、ヘリカルアンテナ６１（アンテナ部）と、コンデンサ６２（直流電流遮断部）と、整合部６３と、整合部６４と、アンテナスイッチ６５と、信号処理部７０とから構成される。
【００３２】
ヘリカルアンテナ６１は、携帯電話機１（例えば、操作部側筐体２）に内蔵される内蔵型であり、放送信号を受信する。ヘリカルアンテナ６１は、整合部６４に接続されている。
ヘリカルアンテナ６１は、例えば、受信する放送信号の波長の１／４倍の長さを有するコイルで構成される。
接点Ａ１は、受電端子４０ａとダイオード９６との間に設けられている。
【００３３】
コンデンサ６２は、充電ケーブル３４から供給される放送信号の直流電流成分を遮断する。これにより、コンデンサ６２は、放送信号の直流電流成分が信号処理部７０に入力されることを防ぐことができる。
コンデンサ６２は、一端側が受電端子４０ａに接続され、他端側がアンテナスイッチ６５に接続されている。コンデンサ６２の容量は、１００ｐＦ程度であることが好ましい。
【００３４】
整合部６３は、充電ケーブル３４の出力インピーダンスと、放送信号処理部７２の入力インピーダンスの整合を行う。
整合部６４は、ヘリカルアンテナ６１の出力インピーダンスと、放送信号処理部７２の入力インピーダンスの整合を行う。
整合部６３及び６４は、インピーダンスの異なる複数のマッチング回路（図示せず）を有している。
アンテナスイッチ６５は、制御部８０の制御に従い、整合部６３及び６４における複数のマッチング回路を切り替える。
【００３５】
放送信号処理部７２は、信号処理部７０の一部を構成し、コンデンサ６２により直流電流成分が除去された放送信号に対して所定の信号処理を行う。所定の信号処理としては、例えば、直流電流成分が除去された放送信号に対して復調や復号化等の処理を行う。
【００３６】
信号処理部７０は、ＣＮ比検出部７１と、上述した放送信号処理部７２とを有している。
【００３７】
ＣＮ比検出部７１は、受信信号処理部６０により受信される放送信号のＣＮ比（Ｃａｒｒｉｅｒ  Ｎｏｉｓｅ  ｒａｔｉｏ）を検出する。
本実施形態におけるＣＮ比とは、放送信号の搬送波とスイッチング雑音信号との比である。ＣＮ比の値が大きいほど放送信号の受信感度が良好な状態である。
ＣＮ比は下記の（１）式で算出される値であり、単位はｄＢ（デシベル）である。
【００３８】
ＣＮ比＝１０ｌｏｇ（ＰＣ／ＰＮ）・・・（１）
ここで、ＰＣは放送信号の搬送波の電力［Ｗ］であり、ＰＮはスイッチング雑音信号の電力［Ｗ］である。
【００３９】
制御部８０は、例えば、ＣＰＵ（Ｃｅｎｔｒａｌ  Ｐｒｏｃｅｓｓｉｎｇ  Ｕｎｉｔ）で構成され、携帯電話機１の全体を制御する。
制御部８０は、充電制御部８１と、調整部８２と、を有する。
【００４０】
可変抵抗部８５は、充電制御部８１の制御に従って抵抗値を変動させる。
ＦＥＴ８６は、エミッタ側が接点Ａ１に接続され、ベース側が可変抵抗部８５に接続され、コレクタ側が二次電池５０に接続される。
【００４１】
ＦＥＴ８６は、可変抵抗部８５の抵抗値が変動することにより、電源部８４からベースに流れ込む電流値が変動する。これにより、ＦＥＴ８６は、受電端子４０から二次電池５０へ供給される充電電流量を制御することができる。
【００４２】
抵抗９５は、一端側が接点Ａ１に接続され、他端側が接地されている。また、抵抗９５の他端側は、受電端子４０ｂに接続される。抵抗９５は、商用電源プラグ３１を商用電源１００の供給口から抜いた（接続を解除した）際にスイッチング電源部３３の出力と並列に接続された電界コンデンサ（図示せず）の放電を行う。
ダイオード９６は、受電端子４０とＦＥＴ８６との間に接続され、受電端子４０から二次電池５０へ供給される充電電流の逆流を防止する。
【００４３】
充電制御部８１は、ＣＮ比検出部７１により検出されたＣＮ比に基づいて、受電端子４０を介して電源アダプタ３０から二次電池５０へ供給される充電電流量を制御する。
【００４４】
例えば、充電制御部８１は、受信信号処理部６０により放送信号が受信された場合に、充電電流量を、放送信号が受信される前の充電電流量よりも低減する。
充電電流量が低減されると、電源アダプタ３０のスイッチング電源部３３によるスイッチング動作が抑制されるため、スイッチング動作により発生されるスイッチング雑音信号が低減される。
【００４５】
このように本実施形態の携帯電話機１は、受信信号処理部６０により受信される放送信号の状態を示すＣＮ比に応じて充電電流値を制御するため、スイッチング電源部３３によるスイッチング動作によって発生するスイッチング雑音信号（ノイズ）を抑制できる。したがって、携帯電話機１は、充電時においても放送信号を受信する際の受信感度の劣化を抑制できる。
【００４６】
また、受信信号処理部６０は、充電ケーブル３４が受電端子４０に接続された場合に、スイッチング電源部３３によるスイッチング動作によって発生するスイッチング雑音信号及び放送信号を、充電ケーブル３４により受信する。
【００４７】
ＣＮ比検出部７１は、充電ケーブル３４により受信されたスイッチング雑音信号及び放送信号に基づくＣＮ比を検出する。
そして、充電制御部８１は、ＣＮ比検出部７１により検出されたＣＮ比が放送信号を受信するために必要となる最小限度のＣＮ比になるように充電電流量を制御する。
【００４８】
具体的には、充電制御部８１は、以下に示すように、ＣＮ比検出部７１により検出されたＣＮ比を監視しながら充電電流量を制御する。
まず、充電制御部８１は、受信信号処理部６０により放送信号の受信が開始されると、可変抵抗部８５の抵抗値が大きくなるように制御して、ＦＥＴ８６を介して二次電池５０へ供給される充電電流量をゼロにする。
【００４９】
次に、充電制御部８１は、ＣＮ比検出部７１により検出されたＣＮ比を監視しながら可変抵抗部８５の抵抗値が徐々に小さくなるように制御して、ＦＥＴ８６を介して二次電池５０へ供給される充電電流量を徐々に増加させる。
【００５０】
そして、充電制御部８１は、ＣＮ比検出部７１により検出されたＣＮ比を読み込み、可変抵抗部８５の抵抗値が小さくなるように制御して、放送信号の受信に最低限必要な最小限度のＣＮ比の閾値まで充電電流量を増加させる。
【００５１】
その後、充電制御部８１は、ＣＮ比検出部７１により検出されたＣＮ比を常時監視しながら最小限度のＣＮ比の閾値を超えないように、可変抵抗部８５の抵抗値を制御する。すなわち、充電制御部８１は、ＣＮ比検出部７１により検出されたＣＮ比を常時監視しながら二次電池５０へ供給される充電電流量を制御する。
【００５２】
このように本実施形態の携帯電話機１は、放送信号を受信するために必要となる最小限度のＣＮ比になるように充電電流量を制御することにより、二次電池５０の充電時間を短縮できる。
【００５３】
また、ＣＮ比検出部７１は、二次電池５０の充電量に基づいて、ＣＮ比の調整を行い、調整後のＣＮ比を充電制御部８１に供給する。
具体的には、ＣＮ比検出部７１は、二次電池５０の充電量が多く、満充電に近い場合には、ＣＮ比を高い値に調整する。二次電池５０の充電量が多く、満充電に近い場合には、充電を急速に行う必要がないため、ＣＮ比を、ＣＮ比の閾値よりも高い値に調整することにより、放送信号の受信感度が向上する。
また、ＣＮ比検出部７１は、二次電池５０の充電量が少ない場合には、ＣＮ比を放送信号の受信に必要な最小限度のＣＮ比の閾値に調整する。二次電池５０の充電量が少ない場合には、充電を急速に行う必要があるため、ＣＮ比を閾値に調整することにより、二次電池５０の充電時間を短縮できる。
【００５４】
このように本実施形態の携帯電話機１において、充電制御部８１は、二次電池５０の充電量に基づいて、ＣＮ比の調整を行うため、二次電池５０の充電量に応じた充電電流量とすることができる。
【００５５】
また、ヘリカルアンテナ６１は、充電ケーブル３４が受電端子４０に接続された場合に、充電ケーブル３４と協調動作して放送信号を受信する。
具体的には、ヘリカルアンテナ６１は、放送信号を受信する際に充電ケーブル３４と電磁界結合する。すなわち、ヘリカルアンテナ６１及び充電ケーブル３４は、全体として一つのモノポールアンテナとして機能する。
【００５６】
このように本実施形態の携帯電話機１は、ヘリカルアンテナ６１と充電ケーブル３４とが協調動作して放送信号を受信するため、受信感度の低下を抑制できる。
【００５７】
調整部８２は、ＣＮ比検出部７１により検出されたＣＮ比に基づいて、アンテナスイッチ６５を制御して、整合部６３及び６４におけるマッチング回路のインピーダンス値を調整する。
【００５８】
具体的には、調整部８２は、ＣＮ比検出部７１により検出されたＣＮ比に基づいて、アンテナスイッチ６５を制御して、整合部６３及び６４における複数のマッチング回路のうち、ＣＮ比が最も高くなるマッチング回路を選択する。これにより、本実施形態の携帯電話機１は、整合部６３及び６４におけるマッチング回路のインピーダンス値を調整することで、放送信号の受信感度の低下を抑制できる。
【００５９】
次に、本実施形態の携帯電話機１の変形例について説明する。
本実施形態の携帯電話機１は、上述した構成に加えて、記憶部９０を更に備えていてもよい。
【００６０】
記憶部９０は、不揮発性メモリ等で構成され、各種情報を記憶する。
具体的には、記憶部９０には、受信信号処理部６０により受信される放送信号のチャンネルと、このチャンネルにおけるＣＮ比とを対応付けて記憶するＣＮ比テーブル９１が記憶される。
【００６１】
そして、充電制御部８１は、受信信号処理部６０により放送信号を受信した場合、ＣＮ比テーブル９１を参照して、ＣＮ比テーブル９１において放送信号のチャンネルと対応付けて記憶されるＣＮ比に基づいて、受電端子４０を介して電源アダプタ３０から二次電池５０へ供給される充電電流量を制御する。
【００６２】
これにより本実施形態の携帯電話機１は、受信信号処理部６０により受信される放送信号のチャンネルごとの状態を示すＣＮ比に応じて充電電流値を制御するため、スイッチング電源部３３により発生されるスイッチング雑音信号（ノイズ）を抑制できる。したがって、携帯電話機１は、充電時においても放送信号を受信する際の受信感度の劣化を抑制できる。
【００６３】
次に、本発明について、実施例を用いて更に詳細に説明する。なお、この実施例は、本発明の範囲を限定するものではない。
【００６４】
実施例としては、本発明の携帯通信端末装置を用いて、放送信号を受信する受信感度の性能を評価した。評価項目として、ヘリカルアンテナの伸張時と収納（内蔵）時とにおける放送信号の受信感度、電源アダプタの充電ＯＮ時とＯＦＦ時とにおける放送信号の受信感度、及び中電界と弱電界における放送信号の受信感度について評価を行った。
【００６５】
比較例としては、充電ケーブルを用いて放送信号を受信する従来の携帯無線通信端末を用いた。評価項目については上記の実施例と同様の評価を行った。
【００６６】
図３は、本発明の携帯無線通信端末の放送信号の受信感度の性能を実施例と比較例とで比較した結果を示す表である。図３において、「○」は受信感度が良好であることを示し、「△」は受信感度が中程度であることを示し、「×」は受信感度が悪いことを示している。
【００６７】
図３に示すように、比較例では、ヘリカルアンテナ収納時であり、かつ、中電界における受信感度が中程度であり、ヘリカルアンテナ収納時であり、かつ、弱電界における受信感度が悪い結果であったのに対して、実施例では中電界及び弱電界における受信感度がいずれも良好な結果となった。したがって、本発明の携帯無線通信端末によれば、充電時においても放送信号を受信する際の受信感度の劣化を抑制できることがわかった。
【００６８】
以上、本発明の実施形態について説明したが、本発明は上述した実施形態に制限されるものではなく、適宜変更が可能である。例えば、ヘリカルアンテナ６１は、伸張時において充電ケーブル３４とのダイバーシティにより放送信号を受信してもよい。
また、上述した実施形態においては、アンテナ部としてヘリカルアンテナ６１を用いたが、本発明はこれに限定されず、他のアンテナを用いてもよい。
【００６９】
また、上述した実施形態において、携帯無線通信端末としての携帯電話機１について説明したが、これに限定されず、デジタルカメラ、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、パソコン、ノートパソコン、携帯ゲーム装置等であってもよい。
【符号の説明】
【００７０】
１  携帯電話機（携帯無線通信端末）
３０  電源アダプタ
４０  受電端子
５０  二次電池
６０  受信信号処理部（受信部）
７１  ＣＮ比検出部
８１  充電制御部
【図１】
0005478352.tif 000002
【図２】
0005478352.tif 000003
【図３】
0005478352.tif 000004